(57)【要約】【課題】  配布対象者毎に、その配布対象者のレベルにあった分かり易い内容で、しかも、見易い配布文書を印刷可能にする。【解決手段】  ホスト端末１０で、文書変換制御情報管理ＴＢ１３１は、各学年に対応して、文字の大きさを示す文字大きさ情報を含む文書変換制御情報を保持する。ある学年を指定した文書情報の印刷指示に際し、文書変換処理部１４３は、該文書情報を、該学年に対応して文書変換制御情報管理ＴＢ１３１に保持される文字大きさ情報に対応する文字から成り、１行が当該文字大きさ情報に対応する文字数で改行される文書情報に変換し、印刷ジョブ生成部１４２は、変換処理後の当該文書情報に基づき、プリンタ２０に印刷指示し、指定した学年に対応する大きさの文字から成り、１行が該文字の大きさに対応する文字数で改行される文書を印刷させる。【選択図】  図２
2008117281.tif 000002
【特許請求の範囲】
【請求項１】
印刷物の配布対象者に対応して、文書情報の変換に用いる文書変換制御情報を保持する情報保持手段と、
印刷物の配布対象者を指定した文書情報の印刷指示に際し、該指定された配布対象者に対応して前記情報保持手段に保持される前記文書変換制御情報に基づいて当該文書情報を変換する変換手段と、
前記変換手段による変換処理後の文書情報に基づき印刷装置に対する印刷指示を行なう印刷指示手段と
を具備する情報処理装置。
【請求項２】
前記文書変換制御情報は、
文字の大きさを示す文字大きさ情報を含み、
前記変換手段は、
前記印刷指示された文書情報を、前記情報保持手段に保持される文字大きさ情報に対応する文字から成り、かつ、１行が当該文字大きさ情報に対応する文字数で改行される文書情報に変換する
請求項１記載の情報処理装置。
【請求項３】
前記文書変換制御情報は、
語句と、該語句の意味を表す意味表現語句情報を含み、
前記変換手段は、
前記印刷指示された文書情報中の語句を、前記情報保持手段に保持される意味表現語句情報に対応する意味表現語句に置き換えた文書情報に変換する
請求項１記載の情報処理装置。
【請求項４】
前記情報保持手段に対して前記配布対象者と前記文書変換制御情報を対応付けて登録及び更新処理する処理手段
を具備する請求項１乃至３のいずれか記載の情報処理装置。
【請求項５】
情報処理装置と、
前記情報処理装置及び印刷装置に接続される印刷制御装置と
を有し、
前記情報処理装置は、
前記印刷制御装置に対し、印刷物の配布対象者を指定した文書情報の印刷指示を行う印刷指示手段
を具備し、
前記印刷制御装置は、
印刷物の配布対象者に対応して、文書情報の変換に用いる文書変換制御情報を保持する情報保持手段と、
前記情報処理装置からの配布対象者を指定した文書情報の印刷指示に際し、該指定された配布対象者に対応して前記情報保持手段に保持される前記文書変換制御情報に基づいて当該文書情報を変換する変換手段と、
前記変換手段による変換処理後の文書情報に基づき前記印刷装置に対する印刷指示を行なう印刷指示手段と
を具備する印刷システム。
【請求項６】
前記文書変換制御情報は、
文字の大きさを示す文字大きさ情報を含み、
前記変換手段は、
前記印刷指示された文書情報を、前記情報保持手段に保持される文字大きさ情報に対応する文字から成り、かつ、１行が当該文字大きさ情報に対応する文字数で改行される文書情報に変換する
請求項５記載の印刷システム。
【請求項７】
前記文書変換制御情報は、
語句と、該語句の意味を表す意味表現語句情報を含み、
前記変換手段は、
前記印刷指示された文書情報中の語句を、前記情報保持手段に保持される意味表現語句情報に対応する意味表現語句に置き換えた文書情報に変換する
請求項５記載の印刷システム。
【請求項８】
印刷物の配布対象者に対応して、文書情報の変換に用いる文書変換制御情報を保持する情報保持手段と、
情報処理装置からの配布対象者を指定した文書情報の印刷指示に際し、該指定された配布対象者に対応して前記情報保持手段に保持される前記文書変換制御情報に基づいて当該文書情報を変換する変換手段と、
前記変換手段による変換処理後の文書情報に基づき印刷装置に対する印刷指示を行なう印刷指示手段と
を具備する印刷制御装置。
【請求項９】
前記文書変換制御情報は、
文字の大きさを示す文字大きさ情報を含み、
前記変換手段は、
前記印刷指示された文書情報を、前記情報保持手段に保持される文字大きさ情報に対応する文字から成り、かつ、１行が当該文字大きさ情報に対応する文字数で改行される文書情報に変換する
請求項８記載の印刷制御装置。
【請求項１０】
前記文書変換制御情報は、
語句と、該語句の意味を表す意味表現語句情報を含み、
前記変換手段は、
前記印刷指示された文書情報中の語句を、前記情報保持手段に保持される意味表現語句情報に対応する意味表現語句に置き換えた文書情報に変換する
請求項８記載の印刷制御装置。
【請求項１１】
印刷物の配布対象者に対応して、文書情報の変換に用いる文書変換制御情報を保持する情報保持手段と、
情報処理装置からの配布対象者を指定した文書情報の印刷指示に際し、該指定された配布対象者に対応して前記情報保持手段に保持される前記文書変換制御情報に基づいて当該文書情報を変換する変換手段と、
前記変換手段による変換処理後の文書情報に基づいて印刷を行う印刷手段と
を具備する画像形成装置。
【請求項１２】
前記文書変換制御情報は、
文字の大きさを示す文字大きさ情報を含み、
前記変換手段は、
前記印刷指示された文書情報を、前記情報保持手段に保持される文字大きさ情報に対応する文字から成り、かつ、１行が当該文字大きさ情報に対応する文字数で改行される文書情報に変換する
請求項１１記載の画像形成装置。
【請求項１３】
前記文書変換制御情報は、
語句と、該語句の意味を表す意味表現語句情報を含み、
前記変換手段は、
前記印刷指示された文書情報中の語句を、前記情報保持手段に保持される意味表現語句情報に対応する意味表現語句に置き換えた文書情報に変換する
請求項１記載の画像形成装置。
【請求項１４】
コンピュータを、
印刷物の配布対象者に対応して、文書情報の変換に用いる文書変換制御情報を保持する情報保持手段と、
印刷物の配布対象者を指定した文書情報の印刷指示に際し、該指定された配布対象者に対応して前記情報保持手段に保持される前記文書変換制御情報に基づいて当該文書情報を変換する変換手段と、
前記変換手段による変換処理後の文書情報に基づき印刷装置に対する印刷指示を行なう印刷指示手段と
として機能させる印刷制御プログラム。
【発明の詳細な説明】
【技術分野】
【０００１】
本発明は、情報処理装置、印刷制御装置、画像形成装置、印刷システム及び印刷制御プログラムに関する。
【背景技術】
【０００２】
小学校などでは、第一学年から第六学年の生徒の間で、漢字等の学習レベルが大きく異なるため、先生が、自分の受け持つ学級の生徒に配布するプリントを印刷する場合、例えば、その学級が属する学年の生徒が読める漢字を含む原稿（文書情報）を作って印刷するという配慮が必要になる。
【０００３】
これを実現するために、例えば、下記特許文献１には、小学校の学年を指定することにより、各学年別の教育漢字が記憶されている学年別文字記憶装置から、文部省の学習指導要領に従って指定された学年以下の漢字を使用した文章でコンピュータのディスプレイに表示させたり、印字できる技術が開示されている。
【特許文献１】特開２０００−３３９３００号公報
【発明の開示】
【発明が解決しようとする課題】
【０００４】
本発明は、配布対象者毎に、該配布対象者のレベルに応じた内容で、かつ、見易い配布文書を印刷可能な情報処理装置、印刷制御装置、画像形成装置、印刷システム及び印刷制御プログラムを提供することを目的とする。
【課題を解決するための手段】
【０００５】
上記目的を達成するために、請求項１記載の情報処理装置の発明は、印刷物の配布対象者に対応して、文書情報の変換に用いる文書変換制御情報を保持する情報保持手段と、印刷物の配布対象者を指定した文書情報の印刷指示に際し、該指定された配布対象者に対応して前記情報保持手段に保持される前記文書変換制御情報に基づいて当該文書情報を変換する変換手段と、前記変換手段による変換処理後の文書情報に基づき印刷装置に対する印刷指示を行なう印刷指示手段とを具備する。
【０００６】
請求項２記載の発明は、上記請求項１記載の発明において、前記文書変換制御情報は、文字の大きさを示す文字大きさ情報を含み、前記変換手段は、前記印刷指示された文書情報を、前記情報保持手段に保持される文字大きさ情報に対応する文字から成り、かつ、１行が当該文字大きさ情報に対応する文字数で改行される文書情報に変換する。
【０００７】
請求項３記載の発明は、上記請求項１記載の発明において、前記文書変換制御情報は、語句と、該語句の意味を表す意味表現語句情報を含み、前記変換手段は、前記印刷指示された文書情報中の語句を、前記情報保持手段に保持される意味表現語句情報に対応する意味表現語句に置き換えた文書情報に変換する。
【０００８】
請求項４記載の発明は、上記請求項１乃至３のいずれか記載の発明において、前記情報保持手段に対して前記配布対象者と前記文書変換制御情報を対応付けて登録及び更新処理する処理手段を具備する。
【０００９】
請求項５記載の印刷システムの発明は、情報処理装置と、前記情報処理装置及び印刷装置に接続される印刷制御装置とを有し、前記情報処理装置は、前記印刷制御装置に対し、印刷物の配布対象者を指定した文書情報の印刷指示を行う印刷指示手段を具備し、前記印刷制御装置は、印刷物の配布対象者に対応して、文書情報の変換に用いる文書変換制御情報を保持する情報保持手段と、前記情報処理装置からの配布対象者を指定した文書情報の印刷指示に際し、該指定された配布対象者に対応して前記情報保持手段に保持される前記文書変換制御情報に基づいて当該文書情報を変換する変換手段と、前記変換手段による変換処理後の文書情報に基づき前記印刷装置に対する印刷指示を行なう印刷指示手段とを具備する。
【００１０】
請求項６記載の発明は、上記請求項５記載の発明において、前記文書変換制御情報は、文字の大きさを示す文字大きさ情報を含み、前記変換手段は、前記印刷指示された文書情報を、前記情報保持手段に保持される文字大きさ情報に対応する文字から成り、かつ、１行が当該文字大きさ情報に対応する文字数で改行される文書情報に変換する。
【００１１】
請求項７記載の発明は、上記請求項５記載の発明において、前記文書変換制御情報は、語句と、該語句の意味を表す意味表現語句情報を含み、前記変換手段は、前記印刷指示された文書情報中の語句を、前記情報保持手段に保持される意味表現語句情報に対応する意味表現語句に置き換えた文書情報に変換する。
【００１２】
請求項８記載の印刷制御装置の発明は、印刷物の配布対象者に対応して、文書情報の変換に用いる文書変換制御情報を保持する情報保持手段と、情報処理装置からの配布対象者を指定した文書情報の印刷指示に際し、該指定された配布対象者に対応して前記情報保持手段に保持される前記文書変換制御情報に基づいて当該文書情報を変換する変換手段と、前記変換手段による変換処理後の文書情報に基づき印刷装置に対する印刷指示を行なう印刷指示手段とを具備する。
【００１３】
請求項９記載の発明は、上記請求項８記載の発明において、前記文書変換制御情報は、文字の大きさを示す文字大きさ情報を含み、前記変換手段は、前記印刷指示された文書情報を、前記情報保持手段に保持される文字大きさ情報に対応する文字から成り、かつ、１行が当該文字大きさ情報に対応する文字数で改行される文書情報に変換する。
【００１４】
請求項１０記載の発明は、上記請求項８記載の発明において、前記文書変換制御情報は、語句と、該語句の意味を表す意味表現語句情報を含み、前記変換手段は、前記印刷指示された文書情報中の語句を、前記情報保持手段に保持される意味表現語句情報に対応する意味表現語句に置き換えた文書情報に変換する。
【００１５】
請求項１記載の画像形成装置の発明は、印刷物の配布対象者に対応して、文書情報の変換に用いる文書変換制御情報を保持する情報保持手段と、情報処理装置からの配布対象者を指定した文書情報の印刷指示に際し、該指定された配布対象者に対応して前記情報保持手段に保持される前記文書変換制御情報に基づいて当該文書情報を変換する変換手段と、前記変換手段による変換処理後の文書情報に基づいて印刷を行う印刷手段とを具備する。
【００１６】
請求項１２記載の発明は、上記請求項１１記載の発明において、前記文書変換制御情報は、文字の大きさを示す文字大きさ情報を含み、前記変換手段は、前記印刷指示された文書情報を、前記情報保持手段に保持される文字大きさ情報に対応する文字から成り、かつ、１行が当該文字大きさ情報に対応する文字数で改行される文書情報に変換する。
【００１７】
請求項１３記載の発明は、上記請求項１１記載の発明において、前記文書変換制御情報は、語句と、該語句の意味を表す意味表現語句情報を含み、前記変換手段は、前記印刷指示された文書情報中の語句を、前記情報保持手段に保持される意味表現語句情報に対応する意味表現語句に置き換えた文書情報に変換する。
【００１８】
請求項１４記載の印刷制御プログラムの発明は、コンピュータを、印刷物の配布対象者に対応して、文書情報の変換に用いる文書変換制御情報を保持する情報保持手段と、印刷物の配布対象者を指定した文書情報の印刷指示に際し、該指定された配布対象者に対応して前記情報保持手段に保持される前記文書変換制御情報に基づいて当該文書情報を変換する変換手段と、前記変換手段による変換処理後の文書情報に基づき印刷装置に対する印刷指示を行なう印刷指示手段ととして機能させる。
【発明の効果】
【００１９】
請求項１，５，８，１１及び１４記載の各発明によれば、本構成を有しない場合に比較して、配布対象者毎に、該配布対象者のレベルに応じた内容で、かつ、見易い配布文書を印刷できる。
【００２０】
請求項２，６，９及び１２記載の各発明によれば、本構成を有しない場合に比較して、配布対象者の学習レベルが低い場合にも、該学習レベルに応じた大きな文字で、かつ、該文字の大きさに対応するレイアウトで文書情報内容を印刷し、配布文書上の文章の読み易さを向上させることができる。
【００２１】
請求項３，７，１０及び１３記載の各発明によれば、本構成を有しない場合に比較して、配布対象者の学習レベルに応じて語句の意味を分かり易い表現に置き換えて印刷することで、文書内容が理解し易くなる。
【００２２】
請求項４記載の発明によれば、本構成を有しない場合に比較して、配布対象者が変った場合にも、該配布対象者とって理解し易い内容で、しかも、見易い配布文書の印刷に容易に対応できる。
【発明を実施するための最良の形態】
【００２３】
以下、本発明の実施形態について添付図面を参照して詳細に説明する。
【実施例１】
【００２４】
図１は、実施例１に係わる印刷システムの全体構成を示すブロック図である。
【００２５】
この印刷システムは、文書の編集や管理、印刷要求（印刷ジョブ）送出等の文書処理機能を有するホスト端末１０と、ホスト端末１０から受信した印刷ジョブに基づき該印刷ジョブ中の印刷データを記録媒体（記録用紙）印刷して出力するプリンタ２０とをＬＡＮケーブル等の伝送路３０を介して構成される。
【００２６】
図２は、実施例１に係わるホスト端末１０の機能構成を示すブロック図である。
【００２７】
ホスト端末１０は、例えば、ＰＣ（パーソナル・コンピュータ）により実現され、図２に示すように、キーボードやマウス等の入力デバイスから成る入力／操作部１１、操作ガイダンスや動作状態等の各種情報を表示する表示部１２、動作プログラム等の各種情報を記憶する記憶部１３、装置全体の制御を行う制御部１４、伝送路３０を介してプリンタ２０と通信する際の通信インタフェースを司る外部インタフェース（Ｉ／Ｆ）部１５を備えて構成される。
【００２８】
ホスト端末１０において、記憶部１３には、該ホスト端末１０の印刷制御によりプリンタ２０で印刷出力される印刷物を配布する対象者に対応して、文書情報の変換に用いる文書変換制御情報を保持する文書変換制御情報管理テーブル（ＴＢ）１３１が設けられる。
【００２９】
また、ホスト端末１０において、制御部１４には、入力／操作部１１での所定の操作に応じて文書情報（文書ファイル）などの操作、保存、表示、編集、印刷指示操作などの処理を行うアプリケーション部１４１、入力／操作部１１での所定の印刷指示操作に基づき文書ファイルの印刷データとその処理命令から成る印刷ジョブを生成してプリンタ２０に送出する印刷ジョブ生成部１４２、利用者（ユーザ）による文書情報の印刷指示を受付け、その際に該文書情報に基づく印刷物の配布対象者が指定されている場合、該配布対象者に対応して文書変換制御情報管理ＴＢ１３１に保持される文書変換制御情報に基づいて当該文書情報を変換する文書変換処理部１４３、文書変換制御情報管理ＴＢ１３１に対して配布対象者と文書変換制御情報を対応付けて登録する処理及び更新する処理を含む文書変換制御情報管理処理を行なう文書変換制御情報管理部１４４が設けられる。
【００３０】
図３は、実施例１に係わるプリンタ２０の機能構成を示すブロック図である。
【００３１】
図３に示すように、プリンタ２０は、伝送路３０を介してホスト端末１０と通信する際の通信インタフェースを司る外部インタフェース（Ｉ／Ｆ）部２１、外部  Ｉ／Ｆ部２１を通じてホスト端末１０から受信した印刷ジョブから抽出した印刷データや動作プログラム等の各種情報を記憶する記憶部２２、受信した印刷データを画像処理して得られる印刷イメージデータに基づき電子写真プロセスを実行して記録媒体（記録用紙）に画像を形成（印刷）する画像形成部２３、タッチパネル機能を有する大型ビットマップディスプレイ等から成る表示／操作部２４、装置全体の制御を行なう制御部２５を具備して構成される。
【００３２】
プリンタ２０において、制御部２５には、ホスト端末１０から外部  Ｉ／Ｆ部２１を通じて受信した印刷ジョブの解析、及び、該解析結果に基づく印刷イメージデータの生成処理を行う印刷ジョブ解析部２５１、印刷イメージデータを画像形成部２３に送信して記録媒体上に画像を印刷出力させる印刷制御部２５２が設けられる。
【００３３】
この印刷システムは、例えば、学校の職員室に設置され、先生が、ある学年の生徒に配布する配布文書を印刷するために用いられる。
【００３４】
そして、この印刷システムでは、所望の配布文書を印刷して配布しようとした時、ホスト端末１０での文書情報（上記配布文書の元原稿に相当）の印刷指示に際して、配布対象者としてある学年を指定すると、ホスト端末１０は、該指定された配布対象者に対応して文書変換制御情報管理ＴＢ１３１に保持される文書変換制御情報に基づいて当該文書情報を変換したうえで、該変換処理後の文書情報に対応する画像内容を有する配布文書をプリンタ２０から印刷出力させるように制御する。
【００３５】
より具体的には、文書変換制御情報管理ＴＢ１３１に、文字の大きさを示す文字大きさ情報を含む文書変換制御情報を保持し、印刷指示された文書情報を、配布対象者として指定された学年に対応して文書変換制御情報管理ＴＢ１３１に保持される文字大きさ情報に対応する文字から成り、かつ、１行が当該文字大きさ情報に対応する文字数で改行される文書情報に変換し、該変換処理後の文書情報に基づき、プリンタ２０に印刷指示して、指定した学年に対応する大きさの文字から成り、１行が該文字の大きさに対応する文字数で改行される配布文書を印刷出力させる。
【００３６】
かかる運用を実現するために、ユーザ（先生）は、ホスト端末１０を用い、文書変換制御情報管理ＴＢ１３１に、以下の示すような内容の文書変換制御情報を事前に登録しておく必要がある。
【００３７】
図４は、実施例１に係わるホスト端末１０の文書変換制御情報管理ＴＢ１３１に登録（保持）される文書変換制御情報の一例を示す表図である。
【００３８】
図４に示すように、この文書変換制御情報管理ＴＢ１３１には、配布対象者である、例えば、小学校の第一学年〜第六学年に対応して、それぞれ、文書情報の変換に適用する文書変換制御情報として、文字の大きさを示す文字大きさ情報が登録されている。
【００３９】
この例では、第一学年に対応して、文字の大きさ（＝１８ポイント）が登録され、以下、第二学年，第三学年，…と学年が上がるに従って、漸次、文字の大きさが小さい値（＝１６ポイント，１４ポイント，…）となるように文字大きさ情報が登録されている。
【００４０】
次に、ホスト端末１０での文書変換制御情報管理ＴＢ１３１に対する文書変換制御情報の登録、更新処理について、図５に示すフローチャートを参照して詳述する。
【００４１】
文書変換制御情報の登録、更新処理は、ホスト端末１０の制御部１４に設けられる文書変換制御情報管理部１４４により行なわれる。
【００４２】
文書変換制御情報管理部１４４は、例えば、アプリケーション部１４１の制御下の文書変換制御情報登録（更新）アプリケーションとして備わるものであり（文書処理アプリケーションの一処理機能として設けても良い）、ユーザ（先生）が、例えば、表示部１２に表示される画面（デスクトップ画面）上の対応するアイコンを選択指定することにより起動され（ステップＳ１０１）、起動後、表示部１２に、「登録開始」ボタン等を含むメニュー選択画面が表示される。
【００４３】
メニュー選択画面の表示中、文書変換制御情報管理部１４４は、「登録開始」ボタンの押下等による文書変換制御情報の登録開始操作があったか否かを監視する（ステップＳ１０３）。
【００４４】
ここで、ユーザによって、文書変換制御情報登録開始操作が行なわれると（ステップＳ１０３ＹＥＳ）、文書変換制御情報管理部１４４は、文書変換制御情報管理ＴＢ１３１からその時点で登録されている情報を読み出して表示部１２に一覧表示する（ステップＳ１０５）。
【００４５】
ここで、表示部１２に表示される一覧表示画面は、図４に示す文書変換制御情報管理ＴＢ１３１における各情報項目〔配布対象者（学年）、文字の大きさ等の文書変換制御情報〕に対応する情報入力欄を有し、所望の情報項目に対応する情報入力欄を選んで該情報入力欄に所望の情報（該当する項目の情報）をそれぞれ入力できる構成となっている。
【００４６】
上記一覧表画面の表示中、文書変換制御情報管理部１４４は、該画面上に設けられる、例えば、「登録完了」ボタンの押下操作等による登録終了操作が行なわれた否かを監視し（ステップＳ１０７）、登録終了操作が行なわれない場合（ステップＳ１０７ＮＯ）は、更に、該一覧表示画面上の各情報入力欄に対する登録情報（または、変更情報）の入力がなされたか否かを監視する（ステップＳ１０９）。
【００４７】
ここで、配布対象者（学年）や文字の大きさ等の登録情報（または、変更情報）がユーザによって入力されると（ステップＳ１０９ＹＥＳ）、該入力された情報を、文書変換制御情報管理ＴＢ１３１の該当する情報項目の欄に登録し（ステップＳ１１１）、以後、登録終了操作がなされない間（ステップＳ１０７ＮＯ）は、同様にして、入力された登録情報（または、変更情報）の登録（更新）処理を続ける（ステップＳ１０９ＹＥＳ→Ｓ１１１）。
【００４８】
そして、この間、登録終了操作がなされた場合（ステップＳ１０７ＹＥＳ）、一覧表示画面を閉じ、一連の登録（更新）処理を終了する。
【００４９】
このように、ホスト端末１０では、文書変換制御情報管理部１４４の処理により、文書変換制御情報管理ＴＢ１３１に対する文書変換制御情報の登録（あるいは、更新）を適宜行なうことができる。
【００５０】
なお、ここでは、小学校の各学年に対応して文字の大きさ情報を登録する例を挙げたが、情報入力欄を追加設定し、該各欄に該当項目の情報の値を入力することにより、任意の種別の配布対象者に対応して任意の項目の文書変換制御情報（例えば、書式、書体、レイアウト等）を登録あるいは更新できることはいうまでもない。
【００５１】
次に、本実施例に係わる印刷システムのホスト端末１０における印刷処理動作について図６に示すフローチャートを参照して詳述する。
【００５２】
図６に示すように、ホスト端末１０では、ユーザによる入力／操作部１１での所望のアプリケーション（文書処理アプリケーション）の選択起動操作に応じて、アプリケーション部１４１が該アプリケーションを起動する（ステップS２０１）。
【００５３】
以後、このアプリケーションは、アプリケーション部１４１の制御下で、ユーザによる印刷を希望する文書情報の選択操作に応じて、該アプリケーションが管理している文書情報の中から該選択された文書情報を読み出してその編集画面を表示する文書情報選択処理（ステップＳ２０２）と、編集画面上での該当メニューボタン（「印刷」ボタン）の操作に応じて、例えば、図７に示すような印刷設定画面１２５を開いてユーザからの印刷設定（印刷制御情報）の入力を受付ける処理（ステップＳ２０３）を実施する。
【００５４】
ここで、印刷設定画面１２５には、図７に示すように、印刷部数、レイアウト（縦／横）、用紙サイズ（Ｂ４，Ａ４，Ｂ５，…）、拡大／縮小（１枚当たりの頁数，用紙サイズ指定）、印刷範囲（全頁，現在の頁，指定頁）等の一般的な設定項目の入力欄の他、ステップＳ２０２で選択した文書情報に基づく印刷物の配布対象者を指定する配布対象者指定欄が設けられる。
【００５５】
この配布対象指定欄は、配布対象者として、例えば、第一学年〜第六学年の各学年が選択候補として設定され、その中から、所望の配布対象者（学年）を選択指定する機能を有するコンボ・ボックス（ＣＭＢと略称）を備えて成る。
【００５６】
これにより、ユーザ（先生）は、例えば、第一学年のあるクラスに配布する配布文書を印刷する場合に、上記ステップＳ２０２でその配布文書の元原稿に当たる文書情報を選択し、上記ステップＳ２０３で印刷部数として該クラスの生徒の人数（例えば、４０人）に対応する印刷部数＝４０部を指定する等の印刷設定を行った後、更に、配布対象指定欄のコンボ・ボックスを操作して「第一学年」を選択するといった印刷指示操作が可能になる。
【００５７】
一方、アプリケーション部１４１では、印刷設定画面１２５上の配布対象指定欄を用いて行われる配布対象指定操作を監視して該配布対象者の指定（例えば、コンボ・ボックスを用いて選択された配布対象者を示すコード情報）を受付け（ステップＳ２０４）、該受付けた配布対象者の情報（識別コード）を、文書変換制御情報管理ＴＢ１３１の検索キーとして保持する。
【００５８】
上記ステップＳ２０２、Ｓ２０３及びＳ２０４での文書情報の選択、印刷設定及び配布対象指定の受付処理を続けながら、アプリケーション部１４１は、印刷設定画面１２５上で「開始」ボタンを押下する等の印刷開始指示操作が行われたか否かを監視する（ステップＳ２０５）。
【００５９】
この間、印刷開始指示操作が行なわれると（ステップＳ２０５ＹＥＳ）、印刷ジョブ生成部１４２は、上記ステップＳ２０２で選択された文書情報を上記ステップＳ２０３で指定された印刷設定で印刷する処理命令を含む印刷ジョブの生成準備を行う。
【００６０】
その際、印刷設定と共に、配布対象の指定があるか否か（配布対象者の識別コードが保持されているか否か）をチェックし（ステップＳ２０６）、配布対象指定がないと判別された場合（ステップＳ２０６ＮＯ）は、通常の印刷制御（ステップＳ２２１）を行う。
【００６１】
この通常の印刷制御において、印刷ジョブ生成部１４２は、上記ステップＳ２０２で選択された文書情報を基に印刷データを生成すると共に、該印刷データと印刷部数を４０部とする処理命令を含む印刷ジョブを生成してプリンタ２０に送出し、該プリンタ２０に該印刷ジョブに基づき印刷物（文書情報に対応する画像）を指定部数（４０部）分印刷出力させる。
【００６２】
これに対し、配布対象指定があると判別された場合（ステップＳ２０６ＹＥＳ）は、保持している配布対象者の情報（識別コード）をキーに文書変換制御情報管理ＴＢ１３１中の当該配布対象者に対応する文字大きさ情報を検索し、該文字大きさ情報を基に文字の大きさを判別する（ステップＳ２０７）。
【００６３】
次いで、文書変換処理部１４３は、印刷指示された（上記ステップＳ２０２で選択された）文書情報を読み出して、該文書情報を、上記ステップＳ２０７で判別した文字大きさ情報に対応する大きさの文字から成る文書情報に変換し（ステップＳ２０８）、所定の作業エリアに格納する。
【００６４】
引き続き、文書変換処理部１４３は、上記ステップＳ２０７で判別した文字の大きさと、上記ステップＳ２０３での印刷設定で指定された用紙サイズとに基づき、１行あたりの文字数（改行する文字数：改行文字数）を算出する（ステップＳ２０９）。
【００６５】
その後、文書変換処理部１４３は、上記作業エリアに格納されている、文字の大きさ変換済の文書情報を一文字ずつ順に読出して、文字数をカウントし（ステップＳ２１０）、該カウント値（＝１）を文字数ｎに加算することにより、該文字数ｎを更新する（ステップＳ２１１）。
【００６６】
次いで、文書変換処理部１４３は、今回読み出した文字が句読点であるか否かをチェックし（ステップＳ２１２）、句読点ではないと判別された場合（ステップＳ２１２ＮＯ）は、更に、次の文字があるか否かをチェックする（ステップＳ２１６）。
【００６７】
ここで、次の文字がある旨が判別された場合（ステップＳ２１６ＹＥＳ）は、次の文字を読出して文字数をカウントする処理（ステップＳ２１０）に進み、引き続き、ステップＳ２１１以降の処理を続行する。
【００６８】
この間、読み出した文字が句読点であると判別された場合（ステップＳ２１２ＹＥＳ）、文書変換処理部１４３は、更に、現時点の文字数ｎが、上記ステップＳ２０９で算出した改行文字数よりも大きいか否かをチェックする（ステップＳ２１３）。
【００６９】
ここで、現時点の文字数ｎが改行する文字数よりも大きくないと判定された場合（ステップＳ２１３ＮＯ）は、句読点ではないと判別された場合（ステップＳ２１２ＮＯ）と同様、次の文字があるか否かをチェックし（ステップＳ２１６）、次の文字がある旨が判別された場合（ステップＳ２１６ＹＥＳ）は、ステップＳ２１０以降の処理を続行する。
【００７０】
これに対し、現時点の文字数ｎが改行する文字数よりも大きいと判定された場合（ステップＳ２１３ＹＥＳ）、文書変換処理部１４３は、当該文字の後に改行を指令する制御情報を挿入する（ステップＳ２１４）と共に、文字数ｎを、現時点の文字数ｎから改行する文字数を減算して算出した、改行後の余り文字数ｎ０に更新する（ステップＳ２１５）。
【００７１】
その後、文書変換処理部１４３は、次の文字があるか否かをチェックし（ステップＳ２１６）、次の文字がある旨が判別されている間（ステップＳ２１６ＹＥＳ）は、ステップＳ２１０以降の処理を続行する。
【００７２】
そして、当該処理の続行中、次の文字がないと判別された場合（ステップＳ２１６ＮＯ）は、文書変換処理の終了を印刷ジョブ生成部１４２に通知する。
【００７３】
印刷ジョブ生成部１４２は、文書変換処理終了の旨の通知を受けると、上記ステップ２１４で改行文字数毎に改行が挿入された文書情報（配布対象者に対応する大きさの文字で、かつ、該文字の大きさに対応する改行文字数で改行するように変換処理された文書情報）を基に印刷データを生成し、該生成した印刷データを基にプリンタ２０への印刷指示を行なう（ステップＳ２１７）。
【００７４】
具体的には、上記の如くに生成した印刷データに、上記ステップＳ２０３での印刷設定に基づく処理命令（印刷部数を含む）を付加した印刷ジョブを生成し、該印刷ジョブをプリンタ２０に送出する。
【００７５】
一方、プリンタ２０は、ホスト端末１０から印刷ジョブを受信すると、印刷ジョブ解析部２５１で該印刷ジョブを解析して該印刷ジョブに含まれる印刷データから印刷イメージデータを生成し、印刷制御部２５２が該印刷イメージデータを画像形成部２３に転送して該印刷イメージデータに基づく画像を記録媒体（用紙）に印刷して出力させる動作を印刷部数に達するまで実行させる。
【００７６】
その際、ホスト端末１０から受信した印刷ジョブに含まれる印刷データは、ホスト端末１０の文書変換処理部１４３による文書変換処理（図６のステップＳ２０６ＹＥＳ〜Ｓ２１６参照）後の文書情報（ステップＳ２０３で選択された文書情報を、ステップＳ２０４で指定された配布対象者に対応して文書変換制御情報管理ＴＢ１３１に保持される文字大きさ情報に対応する文字から成り、かつ、１行が当該文字大きさ情報に対応する文字数で改行されるように変換した文書情報）を基に印刷ジョブ生成部１４２により生成された印刷データである。
【００７７】
これにより、プリンタ２０における当該印刷データに基づく印刷出力結果は、ユーザが、ホスト端末１０で、配布対象者を指定して印刷指示した文書情報に対して、上記ステップＳ２０６〜Ｓ２１６での文書変換処理が反映された文書内容（配布対象者に対応付けられた文字大きさ情報に対応する文字から成り、かつ、１行が当該文字大きさ情報に対応する文字数で改行される文書内容）画像が形成されたものとなる。
【００７８】
図８は、ホスト端末１０の印刷処理（図６参照）に基づくプリンタ２０での印刷出力例を示す概念図である。
【００７９】
図８の印刷出力例は、ユーザにより印刷指示される文書情報が、いずれも、「朝礼では、校歌をせい唱する。つづいて、校長先生のあいさつがある。」という内容の文書情報ａである場合の例であるが、その際にユーザが指定する配布対象者がそれぞれ異なるものである。
【００８０】
図８（ａ）は、ホスト端末１０において、ユーザが文書情報ａの印刷指示に際して配布対象者として第一学年を指定した場合における印刷出力例を示している。
【００８１】
この場合、ホスト端末１０では、図６のステップＳ２０７において、配布対象者＝第一学年を基に、該第一学年に対応して文書変換制御情報管理ＴＢ１３１に記憶されている文字の大きさ（＝１８ポイント）が判別され、同、ステップＳ２０８では、文書情報ａが各文字が１８ポイントの大きさから成る文書情報に変換される。
【００８２】
次いで、同、ステップＳ２０９〜Ｓ２１６では、上記文字サイズ変換後の文書情報が、当該文字の大きさ（＝１８ポイント）に対応した改行文字数で改行され、同、ステップＳ２１７で、該文字サイズ変換がなされ、かつ、該文字サイズに対応した改行文字数での改行が施された文書情報を基に印刷データが生成されてプリンタ２０に対する印刷指示が行なわれる。
【００８３】
その結果、プリンタ２０では、図８（ａ）に示すように、文書情報ａの文書内容画像が、全ての文字が１８ポイントの文字サイズで、かつ、１行が当該１８ポイントの文字サイズに対応した改行文字数（この例では、便宜的に、改行文字数を“７”としているが、実際には、文字サイズ＝１８ポイントと用紙サイズから算出される適宜な文字数となる。）で形成された配布文書２３１ａが指定部数分出力される。
【００８４】
図８（ｂ）は、ホスト端末１０において、ユーザが文書情報ａの印刷指示に際して配布対象者として第三学年を指定した場合における印刷出力例を示している。
【００８５】
この場合、ホスト端末１０では、図６のステップＳ２０７において、配布対象者＝第三学年を基に、該第三学年に対応して文書変換制御情報管理ＴＢ１３１に記憶されている文字の大きさ（＝１４ポイント）が判別され、同、ステップＳ２０８では、文書情報ａが各文字が１４ポイントの大きさから成る文書情報に変換される。
【００８６】
次いで、同、ステップＳ２０９〜Ｓ２１６では、上記文字サイズ変換後の文書情報が、当該文字の大きさ（＝１４ポイント）に対応した改行文字数で改行され、同、ステップＳ２１７で、該文字サイズ変換がなされ、かつ、該文字サイズに対応した改行文字数での改行が施された文書情報を基に印刷データが生成されてプリンタ２０に対する印刷指示が行なわれる。
【００８７】
その結果、プリンタ２０では、図８（ｂ）に示すように、文書情報ａの文書内容画像が、全ての文字が１４ポイントの文字サイズで、かつ、１行が当該１４ポイントの文字サイズに対応した改行文字数（この例では、便宜的に、改行文字数を“９”としているが、実際には、文字サイズ＝１４ポイントと用紙サイズから算出される適宜な文字数となる。）で形成された配布文書２３１ｂが指定部数分出力される。
【００８８】
なお、上記の説明では、文書変換制御情報管理ＴＢ１３１に、各学年に対応する文書変換制御情報として文字大きさ情報のみを登録した例を挙げたが、各学年に対応して、更に、人数を登録し、配布対象者としてある学年を指定すると、印刷指示された文書情報を、該学年に対応する大きさの文字から成り、かつ、該文字の大きさに対応する改行文字数を有する文書情報に変換して、当該学年に対応して登録される人数に相当する部数の配布文書を印刷出力するようにしても良い。
【００８９】
この場合、使い勝手を考えると、各学年をクラスに分けて該各クラス別の人数を登録し、配布対象者としてある学年のあるクラスを指定すると、印刷指示された文書情報を、該学年に対応する大きさの文字から成り、かつ、該文字の大きさに対応する改行文字数を有する文書情報に変換して、当該クラスの人数に相当する部数の配布文書を印刷出力する運用も可能である。
【００９０】
このように、実施例１に係わるホスト端末１０（情報処理端末）は、配布対象者を指定した文書情報の印刷指示に際し、該文書情報を、当該配布対象者に対応して保持される文字大きさ情報に対応する文字から成り、かつ、１行が当該文字大きさ情報に対応する文字数で改行される文書情報に変換して、プリンタ２０から印刷出力させる印刷制御機能を有する。
【実施例２】
【００９１】
実施例２に係わる印刷システムは、実施例１に係わるホスト端末１０と同等の機能ブロック構成を有するホスト端末１０Ｂとプリンタ２０を伝送路３０により接続して構成される（接続関係は図１と同等）。
【００９２】
但し、本実施例に係わるホスト端末１０Ｂが、実施例１に係わるホスト端末１０（図２参照）と異なる点としては、まず、記憶部１３に設けられる文書変換制御情報管理ＴＢ１３１（以下、便宜的に１３１ｂと呼称）に、例えば、図９に示す如く、配布対象者である小学校第一学年〜第六学年に対応して、任意の語句（「校歌」，「校長先生」，「せい唱」等）と、該語句の意味を表す意味表現語句（「学校のうた」，「きむら先生」，「うたう」等）の情報を登録している。
【００９３】
また、ホスト端末１０Ｂにおいて、文書変換処理部１４３（以下、便宜的に１４３ｂと呼称）は、ある学年を配布対象者として指定する文書情報の印刷指示を受付けた際、該文書情報を、該学年に対応して文書変換制御情報管理ＴＢ１３１ｂに保持される語句を、該語句に対応して文書変換制御情報管理ＴＢ１３１ｂに保持される意味表現語句に置き換えた文書情報に変換する処理機能を有する。
【００９４】
次に、本実施例に係わる印刷システムのホスト端末１０Ｂにおける印刷処理動作について図１０に示すフローチャートを参照して詳述する。
【００９５】
図１０において、実施例１に係わるホスト端末１０による図６中の処理と同一の処理には同一のステップ符号を付している。
【００９６】
図１０に示すように、ホスト端末１０Ｂにおいて、アプリケーションを起動（ステップＳ２０１）した後、文書情報の選択（ステップＳ２０２）、印刷設定（ステップＳ２０３）及び配布対象指定（ステップＳ２０４）の各処理を受付けながら、印刷開始指示操作（ステップＳ２０５ＹＥＳ）を待って、配布対象の指定があるか否かチェックし（ステップＳ２０６）、配布対象指定がないと判別された場合（ステップＳ２０６ＮＯ）には通常の印刷制御を行う（ステップＳ２２１）処理の流れは実施例１と同様である。
【００９７】
これに対し、配布対象指定があると判別された場合（ステップＳ２０６ＹＥＳ）は、ホスト端末１０Ｂでは、以下のステップＳ２３１〜Ｓ２３７に示す、本実施例特有の文書変換処理を行う。
【００９８】
すなわち、本実施例のホスト端末１０Ｂでは、印刷開始指示操作（ステップＳ２０５ＹＥＳ）後、配布対象指定があると判別されると（ステップＳ２０６ＹＥＳ）、文書変換処理部１４３ｂは、まず、文書変換制御情報管理ＴＢ１３１ｂに当該配布対象者（識別コード）に対応して格納されている語句を読出し、該読み出した語句を比較照合情報エリアに保持する（ステップＳ２３１）。
【００９９】
次いで、文書変換処理部１４３ｂは、上記ステップＳ２０２で選択された文書情報を図示しないファイル管理エリアから読出し、該文字情報を所定の作業エリアに保持する（ステップＳ２３２）。
【０１００】
引き続き、文書変換処理部１４３ｂは、上記作業エリアに保持された文書情報の全ての語句を抽出し（ステップＳ２３３）、全ての語句を抽出した後、該抽出した語句を１つずつ順に読み出し（ステップＳ２３４）、該読み出した語句と上記ステップＳ２３１で比較照合情報エリアに保持されている全ての語句と比較照合し、一致するものがあるか否かによって、当該印刷指示された文書情報から抽出した当該語句が文書変換制御情報管理ＴＢ１３１ｂに事前登録されている語句（登録済の語句）であるか否かをチェックする（ステップＳ２３５）。
【０１０１】
ここで、印刷指示された文書情報から抽出した当該語句が登録済の語句ではないと判別された場合（ステップＳ２３５ＮＯ）、ステップＳ２３７の処理へと進む。
【０１０２】
これに対し、印刷指示された文書情報から抽出した当該語句が登録済の語句であると判別された場合（ステップＳ２３５ＹＥＳ）、文書変換処理部１４３ｂは、該語句に対応して文書変換制御情報管理ＴＢ１３１ｂに格納されている意味表現語句（該語句の意味を別の表現で表す語句）を読み出すと共に、印刷指示された文書情報を、該文書情報中の上記登録済の語句を、上記読み出した意味表現語句に置き換えた文書内容に変換する（ステップＳ２３６）。
【０１０３】
なお、ここで、登録済の語句に対して複数の意味表現語句が登録されている場合〔例えば、図９示す文書変換制御情報管理ＴＢ１３１ｂ中、第一学年に対応して登録される語句「せい唱」と、意味表現語句「うたう，うたい，うたった，…」の関係〕は、これら登録済の全語句を選択候補として表示し、その中から、ユーザに所望の語句を選択させるようにすることができる。
【０１０４】
上記ステップＳ２３６での文書変換処理後、引き続き、文書変換処理部１４３ｂは、次の語句があるか否かをチェックし（ステップＳ２３７）、次の語句がある場合（ステップＳ２３７３ＹＥＳ）、ステップＳ２３４に戻って該語句を読み出し、以後、ステップＳ２３５以降の処理を続行する。
【０１０５】
このように、ステップＳ２３４〜Ｓ２３７の処理を経て、印刷指示された文書情報から、この時の配布対象者に対応する登録済の語句が抽出される毎に、該文書情報を、当該文書情報中の登録済の語句を、該語句に対応して登録されている意味表現単語に置き換えた文書情報に変換する処理を続けるうちに、当該処理対象の語句がなくなったと判別された場合（ステップＳ２３７ＹＥＳ）、文書変換処理の終了を印刷ジョブ生成部１４２に通知する。
【０１０６】
印刷ジョブ生成部１４２は、文書変換処理終了の旨の通知を受けると、上記ステップ２３６で、登録済の語句を、該語句に対応して登録されている意味表現語句に置き換え変換処理した文書情報を基に印刷データを生成し、該生成した印刷データを基にプリンタ２０への印刷指示を行なう（ステップＳ２１７ｂ）。
【０１０７】
具体的には、上記の如くの処理により生成した印刷データに、上記ステップＳ２０３での印刷設定に基づく処理命令（印刷部数を含む）を付加した印刷ジョブを生成し、該印刷ジョブをプリンタ２０に送出する。
【０１０８】
一方、プリンタ２０は、ホスト端末１０Ｂから印刷ジョブを受信すると、印刷ジョブ解析部２５１で該印刷ジョブを解析して該印刷ジョブに含まれる印刷データから印刷イメージデータを生成し、印刷制御部２５２が該印刷イメージデータを画像形成部２３に転送して該印刷イメージデータに基づく画像を記録媒体（用紙）に印刷して出力させる動作を印刷部数に達するまで実行させる。
【０１０９】
その際、ホスト端末１０Ｂから受信した印刷ジョブに含まれる印刷データは、ホスト端末１０Ｂの文書変換処理部１４３ｂによる文書変換処理（図９のステップＳ２０６〜Ｓ２３７参照）後の文書情報（ステップＳ２０３で選択された文書情報を、該文書情報中のステップＳ２０４で指定された配布対象者に対応して文書変換制御情報管理ＴＢ１３１ｂに保持される語句を、該語句に対応して登録されている意味表現語句に置き換え変換処理した文書情報）を基に印刷ジョブ生成部１４２により生成されたものである。
【０１１０】
これにより、プリンタ２０における当該印刷データに基づく印刷出力結果は、ユーザが、ホスト端末１０Ｂで、配布対象者を指定して印刷指示した文書情報に対して、上記ステップＳ２０６〜Ｓ２３７での文書変換処理が反映された文書内容（該文書情報中の配布対象者に対応する語句が、当該語句に対応して登録されている意味表現語句に置き換えられた文書内容）画像が形成されたものとなる。
【０１１１】
図１１は、ホスト端末１０Ｂの印刷処理（図１０参照）に基づくプリンタ２０での印刷出力例を示す概念図である。
【０１１２】
図１１において、同図（ａ）は、ホスト端末１０Ｂにおいて、ユーザが、「朝礼では、校歌をせい唱する。つづいて、校長先生のあいさつがある。」という内容の文書情報ａの印刷指示に際して配布対象者として第六学年を指定した場合における印刷出力例を示している。
【０１１３】
この場合、文書変換制御情報管理ＴＢ１３１ｂ（図９参照）には、配布対象者である第六学年に対応して当該文書情報ａ中のいずれの語句に対応する意味表現語句も登録されていないため、ホスト端末１０Ｂでは、図１０のステップＳ２３６での文書変換処理は行われず、同、ステップＳ２１７ｂでは、文書情報ａから生成された印刷データに基づく印刷指示がプリンタ２０に対してなされ、その結果、プリンタ２０では、図１１（ａ）に示すように、文書情報ａのオリジナルの文書内容画像が形成された配布文書２３３ａが指定印刷部数分印刷出力される。
【０１１４】
図１１（ｂ）は、ホスト端末１０Ｂにおいて、ユーザが文書情報ａの印刷指示に際して配布対象者として第一学年を指定した場合における印刷出力例を示している。
【０１１５】
この場合、文書変換制御情報管理ＴＢ１３１ｂ（図９参照）には、配布対象者である第一学年に対応して、当該文書情報ａ中の「朝礼」、「校歌」、「せい唱」、「校長先生」及び「あいさつ」の各語句が登録されており、これら語句には、それぞれ、「あさのあつまり」、「学校のうた」、「うたい、うたう，うたって，…」、「きむら先生」及び「おはなし」という意味表現語句が登録されている。
【０１１６】
これにより、配布対象者として第一学年を指定した文書情報ａの印刷指示に際し、ホスト端末１０Ｂでは、図１０のステップＳ２３５で「朝礼」、「校歌」、「せい唱」、「校長先生」及び「あいさつ」の各語句が登録済と判別され、同、ステップＳ２３６では、これら各語句が、それぞれ、「あさのあつまり」、「学校のうた」、「うたう」、「きむら先生」及び「おはなし」という意味表現語句に変換され、同、ステップＳ２１７ｂでは、文書情報ａ中の第一学年に対応して登録済みの上記各語句が、該各語句に対応する各意味表現語句に変換された文書情報を基に生成された印刷データに基づく印刷指示がプリンタ２０に対して行なわれる。
【０１１７】
その結果、プリンタ２０では、図１１（ｂ）に示すように、文書情報ａに元々あった「朝礼」、「校歌」、「せい唱」、「校長先生」及び「あいさつ」の各語句が、それぞれ、これら各語句に対応する意味表現語句「あさのあつまり」、「学校のうた」、「うたう」、「きむら先生」及び「おはなし」に変換されて、「あさのあつまりでは、学校のうたをうたう。つづいて、きむら先生のおはなしがある。」という文書内容画像から成る配布文書２３３ｂが指定印刷部数分印刷出力される。
【０１１８】
図１１（ｃ）は、ホスト端末１０Ｂにおいて、ユーザが文書情報ａの印刷指示に際して配布対象者として第二学年を指定した場合における印刷出力例を示している。
【０１１９】
この場合、文書変換制御情報管理ＴＢ１３１ｂ（図９参照）には、配布対象者である第二学年に対応して、当該文書情報ａ中の「朝礼」、「校歌」、「せい唱」の各語句が登録されており、これら語句には、それぞれ、「朝のしゅう会」、「“学びや”」、「みんなで歌い、みんなで歌う，みんなで歌って，…」という意味表現語句が登録されている。
【０１２０】
これにより、配布対象者として第二学年を指定した文書情報ａの印刷指示に際し、ホスト端末１０Ｂでは、図１０のステップＳ２３５で「朝礼」、「校歌」、「せい唱」の各語句が登録済と判別され、同、ステップＳ２３６では、これら各語句が、それぞれ、「朝のしゅう会」、「“学びや”」、「みんなで歌う」という意味表現語句に変換され、同、ステップＳ２１７ｂでは、文書情報ａ中の第二学年に対応して登録済みの上記各語句が、該各語句に対応する各意味表現語句に変換された文書情報を基に生成された印刷データに基づく印刷指示がプリンタ２０に対して行なわれる。
【０１２１】
その結果、プリンタ２０では、図１１（ｃ）に示すように、文書情報ａに元々あった「朝礼」、「校歌」、「せい唱」の各語句が、それぞれ、これら各語句に対応する意味表現語句「朝のしゅう会」、「“学びや”」、「みんなで歌う」に変換されて、「朝のしゅう会では、“学びや”をみんなで歌う。つづいて、校長先生のあいさつがある。」という文書内容画像から成る配布文書２３３ｂが指定印刷部数分印刷出力される。
【０１２２】
このように、実施例２に係わるホスト端末１０Ｂ（情報処理端末）は、配布対象者を指定した文書情報の印刷指示に際し、該文書情報を、当該配布対象者に対応して保持される語句を、該語句に対応して保持される意味表現語句に置き換えた文書情報に変換して、プリンタ２０により印刷出力させる印刷制御機能を有する。
【実施例３】
【０１２３】
図１２は、実施例３に係わる印刷システムの全体構成を示すブロック図である。
【０１２４】
この印刷システムは、ホスト端末１０Ｃ、プリンタ２０及び印刷サーバ５０をＬＡＮケーブル等の伝送路３０を介して接続して構成される。
【０１２５】
本実施例において、ホスト端末１０Ｃは、ＰＣ等によって実現され、例えば、図１２に示すように、実施例１に係わるホスト端末１０から、文書変換制御情報管理ＴＢ１３１、文書変換処理部１４３、文書変換制御情報管理部１４４の各機能を取り去った構成を有する。
【０１２６】
かかる構成において、ホスト端末１０Ｃは、実施例１と同様、アプリケーション部１４１によりアプリケーションを起動し、文書を選択して編集画面上に表示し、印刷設定画面１２５（図８参照）を用いて印刷設定を行なう際、必要に応じて、配布対象指定欄中のコンボ・ボックスを操作して該文書情報に基づく配布対象者を指定できるようになっている。
【０１２７】
その後、印刷開始操作がなされると、印刷ジョブ生成部１４２は、該文書情報に基づき生成した印刷データと上記印刷設定に基づく処理命令を含む印刷ジョブを生成する。その際、上記印刷設定時に配布対象指定が受付けられている場合は、該指定された配布対象者の情報を上記印刷ジョブに付加して印刷サーバ５０に送信する。
【０１２８】
すなわち、本実施例に係わるホスト端末１０Ｃは、印刷サーバ５０に対して、配布対象者を指定した文書の印刷指示を行う印刷指示機能を有する。
【０１２９】
一方、印刷サーバ５０は、コンピュータ等の情報処理装置により実現され、例えば、図１３に示すように、伝送路３０を介してホスト端末１０Ｃやプリンタ２０と通信する際の通信インタフェースを司る通信インタフェース（Ｉ／Ｆ）部５１、動作プログラム等の各種情報を記憶する記憶部５３、装置全体の制御を行う制御部５５を具備して構成される。
【０１３０】
印刷サーバ５０において、記憶部５３には、文書変換制御情報管理テーブル（ＴＢ）５３１が設けられる。文書変換制御情報管理ＴＢ５３１には、実施例１に係わるホスト端末１０の記憶部１３に設けられる文書変換制御情報管理ＴＢ１３１（図４参照）と同等の情報が格納されている。
【０１３１】
また、印刷サーバ５０の制御部５５には、印刷ジョブ（ＪＯＢ）送受信部５５１、印刷制御部５５２、文書変換処理部５５３及び文書変換制御情報管理部５５４が設けられる。
【０１３２】
印刷ジョブ（ＪＯＢ）送受信部５５１は、ホスト端末１０Ｃから送出される印刷ジョブの受信と、プリンタ２０に対する印刷ジョブの送信を通信  Ｉ／Ｆ部５１を介して行なう。
【０１３３】
印刷制御部５５２は、ホスト端末１０Ｃから受信した印刷ジョブに基づく通常の印刷制御の他、該受信した印刷ジョブに配布対象者の情報が含まれるか否かにより配布対象者指定があるか否かを判別し、配布対象指定がある場合は、該印刷ジョブ中の印刷データ（印刷指示された文書情報）を文書変換処理部５５３により文書変換処理して得られる文書情報を基に印刷データを生成して印刷指示する処理機能を有する。
【０１３４】
文書変換処理部５５３は、実施例１に係わるホスト端末１０における文書変換処理部１４３と同等の機能を有するものであり、ホスト端末１０Ｃからの受信印刷ジョブに配布対象指定が付加されている場合、該受信印刷ジョブ中の印刷データ（印刷指示された文書情報）を、配布対象者に対応して文書変換制御情報管理ＴＢ１３１に保持される文字大きさ情報に対応する文字から成り、かつ、１行が当該文字大きさ情報に対応する文字数で改行される文書情報に変換する処理機能を有する。
【０１３５】
文書変換制御情報管理部５５４は、文書変換制御情報管理ＴＢ５３１に保持されている文書変換制御情報の登録と更新に関する管理処理を、例えば、ホスト端末１０Ｂの制御部１４ｃと協働して実施する。
【０１３６】
この文書変換制御情報の登録（更新）処理について、図５を援用して簡単に説明する。
【０１３７】
本実施例において、ホスト端末１０Ｃは、図５におけるステップＳ１０３で文書変換制御情報の登録開始指示があると、制御部１４ｃが、印刷サーバ５０に対して文書変換制御情報の取得要求を送出し、他方、印刷サーバ５０では、該取得要求を受信すると、文書変換制御情報管理部５５４が、文書変換制御情報管理ＴＢ５３１に保持されている文書変換制御情報を読出してホスト端末１０Ｃに送出する。
【０１３８】
これにより、ホスト端末１０Ｃでは、印刷サーバ５０から送出される文書変換制御情報を受信して一覧表示し（ステップＳ１０５）、登録情報（あるいは、変更情報）の入力を受付ける（ステップＳ１０７、Ｓ１０９）。
【０１３９】
ここで、登録情報（あるいは、変更情報）の入力があると（ステップＳ１０９ＹＥＳ）、ホスト端末１０Ｃの制御部１４ｃは、印刷サーバ５０に対して、当該入力された情報とその登録要求を送出し、他方、印刷サーバ５０では、該登録要求を受信すると、文書変換制御情報管理部５５４が、該登録要求と共に送られている入力情報を文書変換制御情報管理ＴＢ５３１に登録する（あるいは、上書きして更新する）。
【０１４０】
次に、本実施例に係わる印刷サーバ５０の印刷処理動作について、図１４に示すフローチャートを参照して説明する。
【０１４１】
図１４に示すように、印刷サーバ５０では、待機中、ホスト端末１０Ｃから印刷ジョブを受信したか否かを監視している（ステップＳ３０１）。
【０１４２】
ここで、印刷ジョブ送受信部５５１を通じて印刷ジョブが受信されると（ステップＳ３０１ＹＥＳ）、印刷制御部５５２は、該印刷ジョブに付加して、配布対象の指定があるか否か（配布対象者の識別コードが保持されているか否か）をチェックし（ステップＳ３０２）、配布対象指定がないと判別された場合（ステップＳ３０２ＮＯ）は、通常の印刷制御（ステップＳ３２１）を行う。
【０１４３】
これに対して、上記ステップＳ３０２において、配布対象指定があると判別された場合（ステップＳ３０２ＹＥＳ）、保持している配布対象者の情報（識別コード）をキーに文書変換制御情報管理ＴＢ５３１中の当該配布対象者に対応する文字大きさ情報を検索し、該文字大きさ情報を基に文字の大きさを判別する（ステップＳ３０３）。
【０１４４】
これ以後、印刷サーバ５０では、印刷制御部５５２と文書変換処理部５５３とが協働し、例えば、文書変換処理部５５３が、受信した印刷ジョブ中の印刷データ（ホスト端末１０Ｃで印刷指示された文書情報に相当）を、ホスト端末１０Ｃから指定された配布対象者に対応して文書変換制御情報管理ＴＢ５３１に保持される文字大きさ情報に対応する文字から成り、かつ、１行が当該文字大きさ情報に対応する文字数で改行される文書情報に変換する一方で、印刷制御部５５２が、該変換処理後の文書情報を基に印刷データを生成してプリンタ２０に印刷指示することにより、該プリンタ２０に、ホスト端末１０Ｃから指定された配布対象者に対応付けられた文字大きさ情報に対応する文字から成り、かつ、１行が当該文字大きさ情報に対応する文字数で改行される文書内容画像が形成された配布文書を指定部数分印刷出力させるように制御する（ステップＳ３０４〜Ｓ３１３）。
【０１４５】
このステップＳ３０３〜Ｓ３１３での一連の文書変換／印刷制御は、実施例１に係わるホスト端末１０における、図６のステップＳ２０７〜Ｓ２１７に示した一連の処理と同様であるため、ここでの詳しい説明は割愛する。
【０１４６】
このように、実施例３では、ホスト端末１０Ｃからの配布対象者を指定した文書情報の印刷指示に際し、該文書情報を、当該配布対象者に対応して保持される文字大きさ情報に対応する文字から成り、かつ、１行が当該文字大きさ情報に対応する文字数で改行される文書情報に変換して、プリンタ２０から印刷出力させる印刷制御機能を印刷サーバ５０（印刷制御装置）に設ける。
【実施例４】
【０１４７】
実施例４に係わる印刷システムは、実施例３に係わるホスト端末１０Ｃと、プリンタ２０と、実施例３に係わる印刷サーバ５０と同等の機能ブロック構成を有する印刷サーバ５０Ｂとを伝送路３０により接続して構成される（接続関係は図１２と同等）。
【０１４８】
但し、本実施例に係わる印刷サーバ５０Ｂが、実施例３に係わる印刷サーバ５０（図１３参照）と異なる点としては、まず、記憶部５３に設けられる文書変換制御情報管理ＴＢ５３１（以下、便宜的に５３１ｂと呼称）に、例えば、図９に示す如く、配布対象者である小学校第一学年〜第六学年に対応して、任意の語句（「校歌」，「校長先生」，「せい唱」等）と、該語句の意味を表す意味表現語句（「学校のうた」，「きむら先生」，「うたう」等）の情報を登録している。
【０１４９】
また、本実施例の印刷サーバ５０Ｂにおいて、文書変換処理部５５３（以下、便宜的に５５３ｂと呼称）は、ホスト端末１０Ｃでのある学年を配布対象者として指定する文書情報の印刷指示に基づく印刷ジョブを受信した際、該受信した印刷ジョブ中の印刷データ（ホスト端末１０Ｃで印刷指示した文書情報に相当）を、該学年に対応して文書変換制御情報管理ＴＢ５３１ｂに保持される語句を、該語句に対応して文書変換制御情報管理ＴＢ５３１ｂに保持される意味表現語句に置き換えた文書情報に変換する処理機能を有する。
【０１５０】
この文書変換処理部５５３ｂの文書変換処理は、例えば、実施例２に係わるホスト端末１０Ｂにおける、図１０のステップＳ２０６ＹＥＳ→Ｓ２３１〜Ｓ２３７に示す一連の処理と同様の処理により実現できる。
【０１５１】
これにより、本実施例に係わる印刷システムでは、ホスト端末１０Ｃでのユーザ（先生）によるある学年を指定した文書情報の印刷指示に基づく印刷ジョブを受信した際、印刷サーバ５０Ｂでは、文書変換処理部５５３ｂが、該印刷ジョブ中の印刷データ（ホスト端末１０Ｃから印刷指示された文書情報に相当）を、配布対象者として指定された学年に対応して文書変換制御情報管理ＴＢ５３１ｂに保持される語句を、該語句に対応して文書変換制御情報管理ＴＢ５３１ｂに保持される意味表現語句に置き換えた文書情報に変換し、印刷制御部５５２が、該変換処理後の文書情報を基に、該文書情報中の当該学年に対応して事前に登録された語句が、該語句に対応して事前登録されている意味表現語句に置き換えられた文書内容画像から成る配布文書をプリンタ２０から印刷出力させる。
【０１５２】
このように、実施例４では、ホスト端末１０Ｃからの配布対象者を指定した文書情報の印刷指示に際し、該文書情報を、当該配布対象者に対応して保持される語句を、該語句に対応して保持される意味表現語句に置き換えた文書情報に変換して、プリンタ２０により印刷出力させる印刷制御機能を印刷サーバ５０Ｂ（印刷制御装置）に設ける。
【実施例５】
【０１５３】
図１５は、実施例５に係わる印刷システムの全体構成を示すブロック図である。
【０１５４】
この印刷システムは、実施例３及び４に係わるホスト端末１０Ｃと、本実施例特有の構成を有するプリンタ２０ＢをＬＡＮケーブル等の伝送路３０を介して接続して構成される。
【０１５５】
プリンタ２０Ｂには、上記各実施例に係わるプリンタ２０（図３参照）にはない構成要素として、記憶部２２に設けられる文書変換制御情報管理テーブル（ＴＢ）２２１と、制御部２５に設けられる印刷制御部２５２ｂ、文書変換処理部２５３及び文書変換制御情報管理部２５３を備える。
【０１５６】
文書変換制御情報管理ＴＢ２２１は、例えば、実施例３に係わる印刷サーバ５０における文書変換制御情報管理ＴＢ５３１と同等の文書変換制御情報（図４参照）を保持する。
【０１５７】
また、印刷制御部２５２ｂ、文書変換処理部２５３、文書変換制御情報管理部２５４も、それぞれ、実施例３に係わる印刷サーバ５０における印刷制御部５５２、文書変換処理部５５３、文書変換制御情報管理部５５４と同等のものである。
【０１５８】
かかる構成において、プリンタ２０Ｂは、ホスト端末１０Ｃから印刷ジョブを受信すると、印刷制御部２５２ｂが、該印刷ジョブに付加して配布対象の指定があるか否か（配布対象者の識別コードが保持されているか否か）をチェックし、配布対象指定があると判別された場合は、文書変換処理部２５３が、保持している配布対象者の情報（識別コード）をキーに文書変換制御情報管理ＴＢ２２１中の当該配布対象者に対応する文字大きさ情報を検索し、該文字大きさ情報を基に文字の大きさを判別する（実施例３に係わる印刷サーバ５０での図１４のステップＳ３０２，Ｓ３０３の処理と同等）。
【０１５９】
これ以後、プリンタ２０Ｂでは、印刷制御部２５２ｂと文書変換処理部２５３とが協働し、例えば、文書変換処理部２５３が、受信した印刷ジョブ中の印刷データ（ホスト端末１０Ｃで印刷指示された文書情報に相当）を、ホスト端末１０Ｃから指定された配布対象者に対応して文書変換制御情報管理ＴＢ２２１に保持される文字大きさ情報に対応する文字から成り、かつ、１行が当該文字大きさ情報に対応する文字数で改行される文書情報に変換する（実施例３に係わる印刷サーバ５０での図１４のステップＳ３０４〜Ｓ３１２の処理と同等の処理により可能）一方で、印刷制御部２５２ｂが、該変換処理後の文書情報を基に印刷データを生成して画像形成部２３に送り、該画像形成部２３で、ホスト端末１０Ｃから指定された配布対象者に対応付けられた文字大きさ情報に対応する文字から成り、かつ、１行が当該文字大きさ情報に対応する文字数で改行される文書内容画像が形成された配布文書を指定部数分印刷出力させるように制御する。
【０１６０】
このように、実施例５では、実施例３に係わる印刷サーバ５０に準じた印刷制御機能、すなわち、ホスト端末１０Ｃからの配布対象者を指定した文書情報の印刷指示に際し、該文書情報を、当該配布対象者に対応して保持される文字大きさ情報に対応する文字から成り、かつ、１行が当該文字大きさ情報に対応する文字数で改行される文書情報に変換して印刷出力させる印刷制御機能をプリンタ２０Ｂ（画像形成装置）に設ける。
【実施例６】
【０１６１】
実施例６に係わる印刷システムは、実施例３乃至５に係わるホスト端末１０Ｃと、実施例５に係わるプリンタ２０Ｂと同等の機能ブロック構成を有するプリンタ２０Ｃを伝送路３０により接続して構成される（接続関係は図１５と同等）。
【０１６２】
但し、本実施例に係わるプリンタ２０Ｃが、実施例５に係わるプリンタ２０Ｂ（図１５参照）と異なる点としては、まず、記憶部２２に設けられる文書変換制御情報管理ＴＢ２２１（以下、便宜的に２２１ｃと呼称）に、例えば、図９に示す如く、配布対象者である小学校第一学年〜第六学年に対応して、任意の語句（「校歌」，「校長先生」，「せい唱」等）と、該語句の意味を表す意味表現語句（「学校のうた」，「きむら先生」，「うたう」等）の情報を登録している。
【０１６３】
また、本実施例のプリンタ２０Ｃにおいて、文書変換処理部２５３（以下、便宜的に２５３ｃと呼称）は、ホスト端末１０Ｃでのある学年を配布対象者として指定する文書情報の印刷指示に基づく印刷ジョブを受信した際、該受信した印刷ジョブ中の印刷データ（ホスト端末１０Ｃで印刷指示した文書情報に相当）を、該学年に対応して文書変換制御情報管理ＴＢ２２１ｃに保持される語句を、該語句に対応して文書変換制御情報管理ＴＢ２２１ｃに保持される意味表現語句に置き換えた文書情報に変換する処理機能を有する。
【０１６４】
この文書変換処理部２５３ｃの文書変換処理は、例えば、実施例４に係わる印刷サーバ５０Ｂでの文書変換処理（すなわち、実施例２に係わるホスト端末１０Ｂにおける、図１０のステップＳ２０６ＹＥＳ→Ｓ２３１〜Ｓ２３７に示す一連の処理と同様の処理）により実現できる。
【０１６５】
かかる構成において、プリンタ２０Ｃは、ホスト端末１０Ｃから印刷ジョブを受信すると、印刷制御部２５２ｂが、該印刷ジョブに付加して配布対象の指定があるか否か（配布対象者の識別コードが保持されているか否か）をチェックし、配布対象指定があると判別された場合は、文書変換処理部２５３ｃが、保持している配布対象者の情報（識別コード）をキーに文書変換制御情報管理ＴＢ２２１ｃを検索して、該配布対象者に対応して登録されている語句を読み出す（図１０のステップＳ２０６，Ｓ２３１の処理と同等）。
【０１６６】
これ以後、プリンタ２０Ｃでは、印刷制御部２５２ｂと文書変換処理部２５３ｃとが協働し、例えば、文書変換処理部２５３ｃが、受信した印刷ジョブ中の印刷データ（ホスト端末１０Ｃで印刷指示された文書情報に相当）を、配布対象者として指定された学年に対応して文書変換制御情報管理ＴＢ２２１ｃに保持される語句を、該語句に対応して文書変換制御情報管理ＴＢ２２１ｃに保持される意味表現語句に置き換えた文書情報に変換する（図１０のステップＳ２３２〜Ｓ２３７の処理と同等の処理により可能）一方で、印刷制御部２５２ｂが、該変換処理後の文書情報を基に印刷データを生成して画像形成部２３に送り、該画像形成部２３で、該文書情報中の当該学年に対応して事前に登録された語句が、該語句に対応して事前登録されている意味表現語句に置き換えられた文書内容画像から成る配布文書を指定部数分印刷出力させるように制御する。
【０１６７】
このように、実施例６では、実施例４に係わる印刷サーバ５０Ｂに準じた印刷制御機能、すなわち、ホスト端末１０Ｃからの配布対象者を指定した文書情報の印刷指示に際し、該文書情報を、当該配布対象者に対応して保持される語句を、該語句に対応して保持される意味表現語句に置き換えた文書情報に変換して印刷出力させる印刷制御機能をプリンタ２０Ｃ（画像形成装置）に設ける。
【０１６８】
この他、本発明は、上記し、且つ図面に示す実施例に限定することなく、その要旨を変更しない範囲内で適宜変形して実施できるものである。
【０１６９】
例えば、上記各実施例では、学校で配布する配布文書を印刷するシステムを前提に、小学校の第一学年〜第六学年のいずれかを配布対象者として指定し、実施例１，３及び５では、該配布対象者に対応して登録される文字の大きさを持つ文書情報内容画像から成る配布文書を印刷出力し、実施例２，４及び６では、該配布対象者に対応して登録される語句を対応する意味表現語句に変換した文書情報内容画像から成る配布文書を印刷出力する例を挙げたが、配布対象者の種別はこれに限るものではなく、また、文書変換方法も、文字の大きさの変換や、語句を意味表現語句に変換するものに限るものではない。
【０１７０】
要は、本発明は、印刷物の配布対象者に対応して、文書情報の変換に適用する制御情報を情報保持手段に保持し、印刷物の配布対象者を指定した文書情報の印刷指示に際し、該指定された配布対象者に対応して情報保持手段に保持される制御情報に基づいて当該文書情報を変換したうえで、該変換処理後の文書情報に基づき印刷装置に対する印刷指示を行なう情報処理装置、印刷制御装置、画像形成装置及び印刷システム全般に適用できる。
【０１７１】
また、上記実施例では、ホスト端末１０，１０Ｂ、印刷サーバ５０，５０Ｂあるいはプリンタ２０Ｂ，２０Ｃ（以上、コンピュータ）に印刷制御プログラムを実装し、該プログラムに基づき、該コンピュータを、印刷物の配布対象者に対応して、文書情報の変換に適用する制御情報を保持する情報保持手段と、印刷物の配布対象者を指定した文書情報の印刷指示に際し、該指定された配布対象者に対応して情報保持手段に保持される制御情報に基づいて当該文書情報を変換する変換手段と、前記変換手段による変換処理後の前記文書情報に基づき印刷装置に対する印刷指示を行なう印刷指示手段ととして機能させるようにしているが、当該印刷制御プログラムをＣＤＲＯＭ等の記憶媒体に格納して提供するようにしても良い。
【産業上の利用可能性】
【０１７２】
本発明は、ＰＣ、ＰＣに接続される印刷サーバやプリンタ、ＰＣ及びプリンタと印刷サーバを接続した印刷システム、ＰＣや印刷サーバあるいはプリンタに実装する印刷制御プログラムに適用できる。
【図面の簡単な説明】
【０１７３】
【図１】実施例１に係わる印刷システムの全体構成を示すブロック図。
【図２】実施例１に係わるホスト端末の機能構成を示すブロック図。
【図３】プリンタの機能構成を示すブロック図。
【図４】実施例１に係わる文書変換制御情報管理テーブルの登録情報の一例を示す表図。
【図５】実施例１のホスト端末の文書変換制御情報登録処理動作を示すフローチャート。
【図６】実施例１に係わるホスト端末の印刷処理動作を示すフローチャート。
【図７】印刷設定画面の表示例を示す図。
【図８】実施例１の印刷処理に基づく印刷出力の一例を示す図。
【図９】実施例２に係わる文書変換制御情報管理テーブルの登録情報の一例を示す表図。
【図１０】実施例２に係わるホスト端末の印刷処理動作を示すフローチャート。
【図１１】実施例１の印刷処理に基づく印刷出力の一例を示す図。
【図１２】実施例３に係わる印刷システムの全体構成を示すブロック図。
【図１３】実施例３に係わる印刷サーバの機能構成を示すブロック図。
【図１４】実施例３に係わる印刷サーバの印刷処理動作を示すフローチャート。
【図１５】実施例５に係わる印刷システムの全体構成を示すブロック図。
【符号の説明】
【０１７４】
１０，１０Ｃ…ホスト端末（ＰＣ）、１１…入力／操作部、１２…表示部、１２５…印刷設定画面、１３…記憶部、１３１，１３１ｂ…文書変換制御情報管理テーブル（ＴＢ）、１４，１４ｃ…制御部、１４１…アプリケーション部、１４２…印刷ジョブ生成部、１４３…文書変換処理部、１４４…文書変換制御情報管理部、１５…外部インタフェース（Ｉ／Ｆ）部、１５ｃ…通信インタフェース（Ｉ／Ｆ）部、２０，２０Ｂ…プリンタ、２１…外部インタフェース（Ｉ／Ｆ）部、２２…記憶部、２２１…文書変換制御情報管理テーブル（ＴＢ）、２３…画像形成部、２３１ａ，２３１ｂ，２３３ａ，２３３ｂ，２３３ｃ…配布文書、２４…表示／操作部、２５…制御部、２５１…印刷ジョブ（ＪＯＢ）解析部、２５２，２５２ｂ…印刷制御部、２５３…文書変換処理部、２５４…文書変換制御情報管理部、３０…伝送路、５０…印刷サーバ、５１…通信インタフェース（Ｉ／Ｆ）部、５３…記憶部、５３１…文書変換制御情報管理テーブル（ＴＢ）、５５…制御部、５５１…印刷ジョブ（ＪＯＢ）送受信部、５５２…印刷制御部、５５３…文書変換処理部、５５４…文書変換制御情報管理部
【図１】
2008117281.tif 000003
【図２】
2008117281.tif 000004
【図３】
2008117281.tif 000005
【図４】
2008117281.tif 000006
【図５】
2008117281.tif 000007
【図６】
2008117281.tif 000008
【図７】
2008117281.tif 000009
【図８】
2008117281.tif 000010
【図９】
2008117281.tif 000011
【図１０】
2008117281.tif 000012
【図１１】
2008117281.tif 000013
【図１２】
2008117281.tif 000014
【図１３】
2008117281.tif 000015
【図１４】
2008117281.tif 000016
【図１５】
2008117281.tif 000017